(57)【要約】      （修正有）【課題】保持具を相手取付部に取り付ける取付態様の種類を増やして利便性を向上させた陳列品保持具を提供する。【解決手段】背板部の背面側に取付部を設け、取付部に第一ないし第五取付片を設ける。そして、第一取付片及び第二取付片間に相手取付部を差し込む第一取付態様と、背板部及び第四取付片間に相手取付部を差し込む第二取付態様と、第五取付片及び第三取付片間に相手取付部を差し込む第三取付態様と、第一取付片の上向き係合部及び第五取付片の下端部をカードレールに係合する第四取付態様とを設定する。【選択図】図２
0003143644.tif 000002
【実用新案登録請求の範囲】
【請求項１】
背板部の正面側に陳列品を保持するための保持部を有するとともに前記背板部の背面側に当該保持具を相手取付部に取り付けるための取付部を有する陳列品保持具であって、
前記取付部は、前記背板部の背面から水平方向に設けられるとともに先端に上向きの係合部を設けた第一取付片と、前記第一取付片より下方に配置されるとともに前記背板部の背面から水平方向に設けられた第二取付片と、前記第二取付片の下面から下方向に設けられた第三取付片と、前記第三取付片及び背板部間に配置されるとともに前記第二取付片の下面から下方向に設けられた第四取付片と、前記第四取付片及び第三取付片間に配置されるとともに前記第二取付片の下面から下方向に設けられた第五取付片と、を有し、
前記第一取付片及び第二取付片間に相手取付部を差し込む第一取付態様と、前記背板部及び第四取付片間に相手取付部を差し込む第二取付態様と、前記第五取付片及び第三取付片間に相手取付部を差し込む第三取付態様と、前記第一取付片の上向き係合部及び第五取付片の下端部をカードレールに係合する第四取付態様と、を有することを特徴とする陳列品保持具。
【請求項２】
請求項１記載の陳列品保持具において、
第五取付片はその下端部が一旦背板部から遠ざかる方向へ屈曲してから再度下方へ延びる屈曲形状とされ、第三取付片はその上端部より下端部のほうが前記背板部に接近配置される傾斜面形状とされ、前記第三取付片の下端部は前記第五取付片の下端部より上方に配置され、
前記第五取付片の屈曲形状及び前記第三取付片の傾斜面形状により第三取付態様は、第二取付態様で差し込む相手取付部より薄い相手取付部を差し込んでもガタツキの少ない構造とされていることを特徴とする陳列品保持具。
【請求項３】
請求項１又は２記載の陳列品保持具において、
保持部に保持する陳列品は、香り見本ボトルであることを特徴とする陳列品保持具。
【考案の詳細な説明】
【技術分野】
【０００１】
本考案は、商品棚の棚先などにおいて商品又は商品見本などの陳列品を保持するために用いられる陳列品保持具に関する。
【背景技術】
【０００２】
図６に示すように、下記特許文献１に掲載された陳列品保持具５１は、背板部５２の正面側（図では左側）に陳列品を保持する保持部５３を有するとともに背板部５２の背面側（図では右側）に当該保持具５１を相手取付部に取り付ける取付部５４を有し、取付部５４は、背板部５２の背面から水平方向に設けられるとともに先端に上向きの係合部５６を設けた第一取付片５５と、第一取付片５５の下面から下方向に設けられた第二取付片５７とを有し、背板部５２及び第二取付片５７間にその下方から相手取付部を差し込む第一取付態様と、第一取付片５５の上向き係合部５６及び第二取付片５７の下端部５７ａをカードレールの上下係合溝に係合する第二取付態様とを有する構造とされている。
【０００３】
したがって上記従来技術では、保持具５１を相手取付部に取り付けることができる取付態様が第一及び第二取付態様の２種類に過ぎないことから、保持具５１の取り扱い、特に取付の利便性について不足が生じている。
【０００４】
【特許文献１】特開２００６−２３０８１８号公報
【考案の開示】
【考案が解決しようとする課題】
【０００５】
本考案は以上の点に鑑みて、保持具を相手取付部に取り付けることができる取付態様の種類を増やし、もって保持具の取り扱い、特に取付の利便性を向上させることができる陳列品保持具を提供することを目的とする。
【課題を解決するための手段】
【０００６】
上記目的を達成するため、本考案の請求項１による陳列品保持具は、背板部の正面側に陳列品を保持するための保持部を有するとともに前記背板部の背面側に当該保持具を相手取付部に取り付けるための取付部を有する陳列品保持具であって、前記取付部は、前記背板部の背面から水平方向に設けられるとともに先端に上向きの係合部を設けた第一取付片と、前記第一取付片より下方に配置されるとともに前記背板部の背面から水平方向に設けられた第二取付片と、前記第二取付片の下面から下方向に設けられた第三取付片と、前記第三取付片及び背板部間に配置されるとともに前記第二取付片の下面から下方向に設けられた第四取付片と、前記第四取付片及び第三取付片間に配置されるとともに前記第二取付片の下面から下方向に設けられた第五取付片と、を有し、前記第一取付片及び第二取付片間に相手取付部を差し込む第一取付態様と、前記背板部及び第四取付片間に相手取付部を差し込む第二取付態様と、前記第五取付片及び第三取付片間に相手取付部を差し込む第三取付態様と、前記第一取付片の上向き係合部及び第五取付片の下端部をカードレールに係合する第四取付態様と、を有することを特徴とする。
【０００７】
また、本考案の請求項２による陳列品保持具は、上記した請求項１記載の陳列品保持具において、第五取付片はその下端部が一旦背板部から遠ざかる方向へ屈曲してから再度下方へ延びる屈曲形状とされ、第三取付片はその上端部より下端部のほうが前記背板部に接近配置される傾斜面形状とされ、前記第三取付片の下端部は前記第五取付片の下端部より上方に配置され、前記第五取付片の屈曲形状及び前記第三取付片の傾斜面形状により第三取付態様は、第二取付態様で差し込む相手取付部より薄い相手取付部を差し込んでもガタツキの少ない構造とされていることを特徴とする。
【０００８】
また、本考案の請求項３による陳列品保持具は、上記した請求項１又は２記載の陳列品保持具において、保持部に保持する陳列品は、香り見本ボトルであることを特徴とする。
【０００９】
上記構成を有する本考案の保持具においては、取付部に第一ないし第五取付片が設けられ、この５片の取付片によって、第一取付片及び第二取付片間にその背面側から相手取付部を差し込む第一取付態様と、背板部及び第四取付片間にその下方から相手取付部を差し込む第二取付態様と、第五取付片及び第三取付片間にその下方から相手取付部を差し込む第三取付態様と、第一取付片の上向き係合部及び第五取付片の下端部をカードレールの係合溝に係合する第四取付態様とが設定され、保持具を相手取付部に取り付けることができる取付態様が第一ないし第四取付態様の４種類とされている。
【００１０】
また、一層好適には、第五取付片はその下端部が一旦背板部から遠ざかる方向へ屈曲してから再度下方へ延びる屈曲形状とされ、第三取付片はその上端部よりも下端部のほうが背板部に接近配置される傾斜面形状とされ、第三取付片の下端部は第五取付片の下端部よりも上方に配置され、これら第五取付片の屈曲形状及び第三取付片の傾斜面形状により第三取付態様は、第二取付態様で差し込む相手取付部より薄い相手取付部を差し込んでもガタツキの少ない構造とされ、同じく相手取付部を下方から差し込むものであっても第三取付態様には第二取付態様とに互いの構造差が設定されている。
【考案の効果】
【００１１】
上記構成の本考案によれば、５片の取付片によって保持具を相手取付部に取り付けることができる取付態様が第一ないし第四取付態様の４種類とされているために、従来対比で取付態様の種類が増大し倍化されている。したがって保持具の取り扱い、特に取付の利便性を向上させることができる。また第三取付態様に第二取付態様と異なる構造を設定する場合には、相手取付部が厚い場合でも薄い場合でもそれぞれ適切に対応することができる。本考案の保持具が保持する陳列品の種類は特に限定されないが、本考案の保持具は少なくとも香り見本ボトルを保持及び陳列するのに適している。
【考案を実施するための最良の形態】
【００１２】
つぎに本考案の実施例を図面にしたがって説明する。
【００１３】
図１は、本考案の実施例に係る陳列品保持具の斜視図、図２は正面図、図３（Ａ）は平面図、図３（Ｂ）は左側面図、図３（Ｃ）は右側面図をそれぞれ示している。
【００１４】
当該実施例に係る保持具１は、店舗における商品棚の前縁部などに着脱可能に取り付けられ、陳列品２１を保持及び陳列して顧客に提示するものである。保持する陳列品２１として具体的には高さ約７５ｍｍ、直径約２０ｍｍの開閉蓋２３付きの香り見本ボトル２２を想定しており、顧客は芳香性を有する商品を購入する際に香り見本ボトル２２を保持具１から取り出し蓋２３を開いて商品の香りを確認し、蓋２３を閉じて保持具１へ戻すことになる。保持具１は所定の樹脂系材料より一体に成形されている。
【００１５】
当該保持具１は、その構成要素として先ず、上下方向に長い背板（せいた）部２を有しており、この背板部２の正面側（図２における左側）に陳列品２１を保持するための保持部３が設けられるとともに、背板部２の背面側（図２における右側）に当該保持具１を商品棚などの相手取付部に取り付けるための取付部１１が設けられている。
【００１６】
保持部３は、顧客が陳列品２１を容易に出し入れすることができるように底面部４及び周面部５を有するカップ状に形成され、窓穴６及び告知面印刷部７が設けられている。背板部２の正面には、追加器具（ＰＯＰカード、または複数の保持具１を横並びに連結するための連結部品など）を設置するための縦溝部８が設けられている。
【００１７】
一方、取付部１１は、背板部２の背面上端近傍から水平方向へ向けて設けられるとともに先端に上向きの係合部１３を設けた第一取付片１２と、第一取付片１２よりも下方に配置されるとともに背板部２の背面から水平方向へ向けて設けられた第二取付片１４と、第二取付片１４の先端下面から下方向へ向けて設けられた第三取付片１５と、第三取付片１５及び背板部２間に配置されるとともに第二取付片１４の下面から下方向へ向けて設けられた第四取付片１６と、第四取付片１６及び第三取付片１５間に配置されるとともに第二取付片１４の下面から下方向へ向けて設けられた第五取付片１７と、を有し、当該保持具１を相手取付部に取り付ける態様として、図４（Ａ）に示すように第一取付片１２及び第二取付片１４間の間隙にその背面側から商品棚の一部である相手取付部３１を差し込む第一取付態様と、図４（Ｂ）に示すように背板部２及び第四取付片１６間の間隙にその下方から相手取付部３１を差し込む第二取付態様と、図５（Ａ）に示すように第五取付片１７及び第三取付片１５間の間隙にその下方から相手取付部３１を差し込む第三取付態様と、図５（Ｂ）に示すように第一取付片１２の上向き係合部１３及び第五取付片１７の下端部１７ａを商品棚の一部であるカードレール３２の上下係合溝３３，３４に係合する第四取付態様と、を有している。相手取付部３１としては図示する板状のもののほかに、線状又は棒状のものも含まれる。
【００１８】
第一取付態様は、前面衝立の無い構造体に保持具１を差込み保持するのに適している。第二取付態様は、構造体の前面衝立に保持具１を差込み保持するのに適している。第三取付態様は、厚みが無い構造体に対して保持具１を差込み保持するのに適し、また保持する位置に奥行きが無い場合に保持具１を保持するのに適している。また第四取付態様は、２本の爪（第一取付片１２の上向き係合部１３及び第五取付片１７の下端部１７ａ）で構造体の溝に保持具１を差込み保持するのに適している。
【００１９】
また、上記第五取付片１７はその下端部１７ａが一旦背板部２から遠ざかる方向へ屈曲してから再度下方へ延びる屈曲形状とされ、第三取付片１５はその上端部よりも下端部のほうが背板部２に接近配置される傾斜面形状とされ、第三取付片１５の下端部１５ａは第五取付片１７の下端部１７ａより上方に配置され、これら第五取付片１７の屈曲形状及び第三取付片１５の傾斜面形状により上記第三取付態様は、図５（Ａ）に示したように薄い相手取付部３１を差し込んでもガタツキが少なく、ガタツキを抑制することができる構造とされている。
【００２０】
また、第二取付片１４は、第五取付片１７を設けた部位よりも先端側の部分１４ａが背板部２から遠ざかるに連れて上り勾配となる向きの傾斜面状とされ、その上方に位置する第一取付片１２との間隔が漸次狭められている。また第二取付片１４の上面及び先端部、第三取付片１５の背面、第四取付片１６の正面並びにこれと対向する背板部２の背面には、取付性を高めるべく滑り止めのため又は補強のため、リブ１８が所要数横方向全幅に亙って設けられている。
【００２１】
上記構成の保持具１においては、取付部１１に第一ないし第五取付片１２，１４，１５，１６，１７が設けられ、この５片の取付片によって４種類の取付態様が設定されている。したがって従来対比で取付態様の種類が増大し倍化されているため、保持具１の取り扱い、特に取付の利便性を向上させることができる。
【００２２】
また、第五取付片１７はその下端部１７ａが屈曲形状とされ、第三取付片１５は傾斜面形状とされ、第三取付片１５の下端部１５ａは第五取付片１７の下端部１７ａより上方に配置され、これら第五取付片１７の屈曲形状及び第三取付片１５の傾斜面形状により第三取付態様は、薄い相手取付部３１を差し込んでもガタツキを抑制することができる構造とされている。したがって薄い相手取付部３１に対しては第三取付態様で対応し、厚い相手取付部３１に対しては第二取付態様で対応すると云うように使い分けをすることができる。また第三取付態様では取付部１１の大部が相手取付部３１よりも正面側に配置されるため、奥行きが無いところへも保持具１を取り付けることができる。
【図面の簡単な説明】
【００２３】
【図１】本考案の実施例に係る保持具の斜視図
【図２】同保持具の正面図
【図３】（Ａ）は同保持具の平面図、（Ｂ）は同保持具の左側面図、（Ｃ）は同保持具の右側面図
【図４】（Ａ）は同保持具の第一取付態様による取付状態を示す説明図、（Ｂ）は同保持具の第二取付態様による取付状態を示す説明図
【図５】（Ａ）は同保持具の第三取付態様による取付状態を示す説明図、（Ｂ）は同保持具の第四取付態様による取付状態を示す説明図
【図６】従来例に係る保持具の正面図
【符号の説明】
【００２４】
１  保持具
２  背板部
３  保持部
４  底面部
５  周面部
６  窓穴
７  告知面印刷部
８  縦溝部
１１  取付部
１２  第一取付片
１３  係合部
１４  第二取付片
１４ａ  先端側部分
１５  第三取付片
１５ａ，１７ａ  下端部
１６  第四取付片
１７  第五取付片
１８  リブ
２１  陳列品
２２  香り見本ボトル
２３  開閉蓋
３１  相手取付部
３２  カードレール
３３，３４  係合溝
【図１】
0003143644.tif 000003
【図２】
0003143644.tif 000004
【図３】
0003143644.tif 000005
【図４】
0003143644.tif 000006
【図５】
0003143644.tif 000007
【図６】
0003143644.tif 000008